(57)【特許請求の範囲】
【請求項１】
複数の非近接無線通信チャネルを介して無線通信デバイスに無線通信パケットのシンボルを送信する無線通信ユニットを備え、
前記無線通信ユニットは、前記複数の非近接無線通信チャネルのうちの第１のチャネルを介して、前記パケットのプリアンブルの第１のフィールドを送信し、前記複数の非近接無線通信チャネルのうちの第２のチャネルを介して、前記プリアンブルの第２のフィールドを送信し、
前記第１のフィールドは、前記第１のチャネルを示す情報および当該第１のチャネルにおける第１の送信特徴を定義する第１の信号情報を含み、
前記第２のフィールドは、前記第２のチャネルを示す情報および当該第２のチャネルにおける第２の送信特徴を定義する第２の信号情報を含み、
前記第２の送信特徴は前記第１の送信特徴と独立しており、
前記第１のフィールドは前記第２の信号情報の少なくとも一部を含み、前記第２のフィールドは前記第１の信号情報の少なくとも一部を含む、
装置。
【請求項２】
前記第１のフィールドは、前記第１の信号情報を含む第１の情報エレメントおよび前記第２の信号情報を含む第２の情報エレメントを有する、請求項１に記載の装置。
【請求項３】
前記第２のフィールドは、前記第１の情報エレメントおよび前記第２の情報エレメントを有する、請求項２に記載の装置。
【請求項４】
前記第１の信号情報の前記少なくとも一部は、前記第１のチャネルの帯域幅と前記第１のチャネルに対応するチャネル割り当て情報とのうち少なくとも一方を含む請求項１から請求項３のいずれか一項に記載の装置。
【請求項５】
前記無線通信ユニットは、第１のバックオフ・メカニズムに従って前記複数の非近接無線通信チャネルのうちの前記第１のチャネルで通信し、第２のバックオフ・メカニズムに従って前記複数の非近接無線通信チャネルのうちの前記第２のチャネルで通信する、請求項１から請求項４のいずれか一項に記載の装置。
【請求項６】
前記第１のバックオフ・メカニズムのバックオフ期間が完了すると、前記無線通信ユニットは、前記第１のチャネルへの送信前に、前記第２のバックオフ・メカニズムのバックオフ期間が完了するのを所定の期間待つ、請求項５に記載の装置。
【請求項７】
前記第２のバックオフ・メカニズムの前記バックオフ期間が前記所定の期間中に完了した場合には、前記無線通信ユニットは前記第１のチャネルおよび前記第２のチャネルの両方に送信を行う、請求項６に記載の装置。
【請求項８】
少なくとも１つのアンテナと、
複数の送信チェーン、及び、前記複数の送信チェーンを制御して、複数の非近接無線通信チャネルを介して無線通信パケットの複数のシンボルを同期して送信させるメディアアクセスコントローラ（ＭＡＣ）を含む無線通信ユニットと
を有する無線通信デバイスを備え、
前記無線通信ユニットは、前記複数の非近接無線通信チャネルのうちの第１のチャネルを介して、前記パケットのプリアンブルの第１のフィールドを送信し、前記複数の非近接無線通信チャネルのうちの第２のチャネルを介して、前記プリアンブルの第２のフィールドを送信し、
前記第１のフィールドは、前記第１のチャネルを示す情報および当該第１のチャネルにおける第１の送信特徴を定義する第１の信号情報を含み、
前記第２のフィールドは、前記第２のチャネルを示す情報および当該第２のチャネルにおける第２の送信特徴を定義する第２の信号情報を含み、
前記第２の送信特徴は前記第１の送信特徴と独立しており、
前記第１のフィールドは前記第２の信号情報の少なくとも一部を含み、前記第２のフィールドは前記第１の信号情報の少なくとも一部を含む、システム。
【請求項９】
前記第１のフィールドは、前記第１の信号情報を含む第１の情報エレメントおよび前記第２の信号情報を含む第２の情報エレメントを有する、請求項８に記載のシステム。
【請求項１０】
前記第２のフィールドは、前記第１の情報エレメントおよび前記第２の情報エレメントを有する、請求項９に記載のシステム。
【請求項１１】
前記ＭＡＣは、第１のバックオフ・メカニズムに従って前記複数の非近接無線通信チャネルのうちの前記第１のチャネルで通信し、第２のバックオフ・メカニズムに従って前記複数の非近接無線通信チャネルのうちの前記第２のチャネルで通信する、請求項８から請求項１０のいずれか一項に記載に記載のシステム。
【請求項１２】
前記第１のバックオフ・メカニズムのバックオフ期間が完了すると、前記ＭＡＣは、前記第１のチャネルへの送信前に、前記第２のバックオフ・メカニズムのバックオフ期間が完了するのを所定の期間待つ、請求項１１に記載のシステム。
【請求項１３】
非近接である第１のチャネルおよび第２のチャネルを少なくとも介して、無線通信パケットのプリアンブルを送信する段階を備え、
前記プリアンブルを送信する段階は、
前記第１のチャネルを介して、当該第１のチャネルを示す情報および第１の信号情報を送信する段階と、
前記第２のチャネルを介して、当該第２のチャネルを示す情報および第２の信号情報を送信する段階と、
前記第１のチャネルを介して前記第２の信号情報の少なくとも一部を送信する段階と、
前記第２のチャネルを介して前記第１の信号情報の少なくとも一部を送信する段階と、
を有し、
前記第１の信号情報は前記第１のチャネルにおける第１の送信特徴を定義し、前記第２の信号情報は前記第２のチャネルにおける、前記第１の送信特徴とは独立した第２の送信特徴を定義し、
前記第１の送信特徴および前記第２の送信特徴にそれぞれ従って前記第１のチャネルおよび前記第２のチャネルを介して無線通信パケットのシンボルを送信する段階を更に備える、方法。
【請求項１４】
前記第１の信号情報および前記第２の信号情報を送信する段階は、
前記第１のチャネルおよび前記第２のチャネルの両方において実質的に同じ信号情報を送信する段階を有する、請求項１３に記載の方法。
【請求項１５】
前記第１の信号情報および前記第２の信号情報を送信する段階は、
前記第１のチャネルおよび第２のチャネルにおいて、それぞれ異なる信号情報を送信する段階を有する、請求項１３または１４に記載の方法。
【請求項１６】
機械によって実行されると、請求項１３から請求項１５のいずれか一項に記載された手順を実行する、プログラム。
【発明の詳細な説明】
【背景技術】
【０００１】
無線通信ネットワーク（例えば無線ローカルエリアネットワーク（ＷＬＡＮ）および／または無線パーソナルエリアネットワーク（ＷＰＡＮ））内の増加したデータ量を転送する要求を満たすためには、１つの無線通信クライアントにつき毎秒１ギガビット（Ｇｂｐｓ）を超えるような、スループットの向上が必要となりうる。
【０００２】
スループットの向上は、例えば、広帯域幅を有する通信リンクを利用することで達成可能である。例えば、ＩＥＥＥ８０２．１１規格に準拠して５ギガヘルツ（ＧＨｚ）の周波数帯域で動作するネットワークにおいては１Ｇｂｐｓを超えるスループットを提供するためには、８０メガヘルツ（ＭＨｚ）を超える帯域幅が必要となりうる。
【０００３】
広帯域幅を達成するには、複数の無線通信チャネルが必要となる場合がある。例えば、８０ＭＨｚを超える帯域幅を達成するには、ＩＥＥＥ８０２．１１規格においては、４つを超える数の２０ＭＨｚのチャネルが必要となりうる。
【０００４】
しかし、干渉、ネットワーク間の重なり、規制上の制約等によって、広帯域を有するチャネルが割り当てられる可能性は比較的低くなりうる。
【０００５】
記載を簡潔且つ明瞭に行うべく、図面に示す部材は、必ずしも実寸に即して描かれていない場合がある。例えば、ある部材のサイズを他の部材より強調して描くことで表示を明確にしている場合がある。さらに、図面間で参照番号を繰り返して利用することで、対応する、または類似したエレメントを示している場合がある。図面を以下に説明する。
【図面の簡単な説明】
【０００６】
【図１】一部の例示的な実施形態におけるシステムの概略ブロック図である。
【図２】一部の例示的な実施形態における無線通信パケットの送信スキームの概略図である。
【図３】例示的な実施形態における信号フィールドの概略図である。
【図４】別の例示的な実施形態における信号フィールドの概略図である。
【図５】一部の例示的な実施形態における複数の非近接チャネルにおける無線通信方法のフローチャートの概略図である。
【図６】一部の例示的な実施形態における製品の概略図である。
【発明を実施するための形態】
【０００７】
以下の詳細な記載においては、数多くの特定の詳細を述べて本発明の完全な理解を促している。しかし当業者であれば、本発明がこれら特定の詳細なしに実行可能であることを理解する。また、公知の方法、プロシージャ、コンポーネント、ユニット、および回路については詳細な記載を省くことで、本発明を曖昧にしないようにしている箇所もある。
【０００８】
そうではないと明記しない限りにおいて、「処理（processing）」「コンピューティング（computing）」「計算（calculating）」「判断／決定（determining）」「構築（establishing）」「分析（analyzing）」「チェック（checking）」といった用語を利用する説明は明細書の随所に見られるが、これらは、特にそうではないと明記していない限りにおいて、コンピュータ、コンピューティングプラットフォーム、コンピューティングシステム、あるいは他の電子コンピューティングデバイスの動作および／または処理に係るものであってよく、コンピュータのレジスタおよび／またはメモリの電子量等の物理量で表されるデータを、コンピュータのメモリ、レジスタ、または他の同様の情報格納、送信デバイス内の物理量として同様に表される他のデータへと操作および／または変換するもののことであってよい。
【０００９】
ここで利用される「複数の」という言い回しは、「多数」または「２以上」の意味である。例えば、「複数のアイテム」といった言い回しは、２以上のアイテムを含む。
【００１０】
一部の実施形態は、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナル・デジタル・アシスタント（ＰＤＡ）デバイス、ハンドヘルドＰＤＡデバイス、オンボードデバイス、オフボードデバイス、ハイブリッドデバイス、車両用デバイス、非車両用デバイス、モバイルまたはポータブルデバイス、家庭用デバイス、非モバイルまたは非ポータブルデバイス、無線通信ステーション、無線通信デバイス、無線アクセスポイント（ＡＰ）、有線または無線ルータ、有線または無線モデム、ビデオデバイス、オーディオデバイス、オーディオ−ビデオ（Ａ／Ｖ）デバイス、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、放送ＨＤレシーバ、ビデオソース、オディオソース、ビデオシンク、オーディオシンク、ステレオチューナ、放送ラジオレシーバ、フラットパネルディスプレイ、パーソナルメディアプレーヤ（ＰＭＰ）、デジタルビデオカメラ（ＤＶＣ）、デジタルオーディオプレーヤ、スピーカ、オーディオレシーバ、オーディオアンプ、ゲームデバイス、データソース、データシンク、デジタルスチルカメラ、有線または無線ネットワーク、ワイヤレスエリアネットワーク、ワイヤレスビデオエリアネットワーク（ＷＶＡＮ）、ローカルエリアネットワーク（ＬＡＮ）、ワイヤレスＬＡＮ（ＷＬＡＮ）、ワイヤレスメトロポリタンエリアネットワーク（ＷＭＡＮ）通信システム、パーソナルエリアネットワーク（ＰＡＮ）、ワイヤレスＰＡＮ（ＷＰＡＮ）、ＩＥＥＥ８０２．１１（情報技術のＩＥＥＥ規格−システム間の電話通信および情報交換−ローカルおよびメトロポリタンエリアネットワーク−特別要件、パート１１：ワイヤレスＬＡＮ媒体アクセス制御（ＭＡＣ）および物理層（ＰＨＹ）仕様−２００７年６月）、８０２．１１ｎ、８０２．１１ａｃ、８０２．１１タスクグループａｄ（ＴＧａｄ）（「８０２．１１規格」）、８０２．１６（ＩＥＥＥ−規格８０２．１６、２００４年版、固定ブロードバンドワイヤレスアクセスシステムのためのエアインタフェース）、８０２．１６ｄ、８０２．１６ｅ（ＩＥＥＥ−規格８０２．１６ｅ、２００５年版、許可帯域における組み合わせられた固定およびモバイル処理用の物理および媒体アクセス制御層）、８０２．１６ｆ、８０２．１６ｍ規格（「８０２．１６規格」、および／または将来のバージョンおよび／またはその派生物）に準拠して動作するデバイスおよび／またはネットワーク、既存のＷｉｒｅｌｅｓｓＨＤ（登録商標）および／またはワイヤレス・ギガビット・アライアンス（ＷＧＡ）仕様および／または将来のバージョンおよび／またはその派生物に従い動作するデバイスおよび／またはネットワーク、既存のＩＥＥＥ８０２．１１（ＩＥＥＥ８０２．１１-１９９９：ワイヤレスＬＡＮ媒体アクセス制御（ＭＡＣ）および物理層（ＰＨＹ）仕様）規格およびその修正版（「ＩＥＥＥ８０２．１１規格」）、ＩＥＥＥ８０２．１６規格、および／または、その将来のバージョンおよび／またはその派生物等に従い動作するデバイスおよび／またはネットワーク、および／または、上述したネットワークの一部であるユニットおよび／またはデバイス、一方向または双方向通信システム、セルラー方式無線移動電話通信システム、ワイヤレスディスプレイ（ＷｉＤｉ）デバイス、携帯電話、無線電話、パーソナル・コミュニケーション・システム（ＰＣＳ）デバイス、無線通信デバイス、モバイルまたはポータブルグローバルポジショニングシステム（ＧＰＳ）デバイスが組み込まれたＰＤＡデバイス、ＧＰＳレシーバまたはトランシーバまたはチップが組み込まれたデバイス、ＲＦＩＤ素子またはチップが組み込まれたデバイス、多入力多出力（ＭＩＭＯ）トランシーバまたはデバイス、単一入力多出力（ＳＩＭＯ）トランシーバまたはデバイス、多入力単一出力（ＭＩＳＯ）トランシーバまたはデバイス、１以上の内部アンテナおよび／または外部アンテナを有するデバイス、デジタルビデオ放送（ＤＶＢ）デバイスまたはシステム、マルチスタンダードの無線デバイスまたはシステム、有線または無線ハンドヘルドデバイス（ＢｌａｃｋＢｅｒｒｙ、Ｐａｌｍ  Ｔｒｅｏ等）、ワイヤレスアプリケーションプロトコル（ＷＡＰ）デバイス等の様々なデバイスおよびシステムと組み合わせて利用することができる。
【００１１】
一部の実施形態は、無線周波数（ＲＦ）、赤外線（ＩＲ）、周波数分割多重（ＦＤＭ）、直交周波数分割多重（ＯＦＤＭ）、時分割多重（ＴＤＭ）、時分割多元接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ）、ＣＤＭＡ２０００、シングルキャリアＣＤＭＡ、マルチキャリアＣＤＭＡ，マルチキャリア変調（ＭＤＭ）、離散マルチトーン（ＤＭＴ）、Ｂｌｕｅｔｏｏｔｈ（登録商標）、グローバルポジショニングシステム（ＧＰＳ）、Ｗｉ−Ｆｉ、Ｗｉ−Ｍａｘ、ＺｉｇＢｅｅ（登録商標）、ウルトラワイドバンド（ＵＷＢ）、モバイル通信用のグローバルシステム（ＧＳＭ）、２Ｇ、２．５Ｇ、３Ｇ、３．５Ｇ、ＧＳＭエボリューション用の拡張データレート（ＥＤＧＥ）等の１以上の種類の無線通信信号および／またはシステムと組み合わせて利用することができる。他の実施形態も様々な他のデバイス、システム、および／またはネットワークで利用可能である。
【００１２】
本明細書で利用される「無線デバイス」という用語は、無線通信機能を有するデバイス、無線通信機能を有する通信デバイス、無線通信機能を有する通信ステーション、無線通信機能を有する携帯デバイスまたは固定デバイス等を含む。一部の例示的な実施形態では、無線デバイスは、コンピュータに集積される周辺部であっても、コンピュータに取り付けられた周辺部であっても、これらを含んでもよい。一部の例示的な実施形態では、「無線デバイス」という用語は、オプションとして無線サービスを含んでもよい。
【００１３】
図１は、一部の例示的な実施形態におけるシステム１００の概略ブロック図である。
【００１４】
図１に示すように、一部の例示的な実施形態では、システム１００は、コンテンツ、データ、情報、および／または、信号を、無線通信リンク１１６（以下で詳述する）を介して通信することのできる１以上の無線通信デバイス（例えば、無線通信デバイス１０２および／または１０６）を含みうる。システム１００の１以上の部材は、オプションとして、任意の適切な有線通信リンクを介して通信する機能を有してよい。
【００１５】
一部の例示的な実施形態では、無線通信デバイス１０２および／または１０６は、例えばＰＣ、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナル・デジタル・アシスタント（ＰＤＡ）デバイス、ハンドヘルドＰＤＡデバイス、オンボードデバイス、オフボードデバイス、ハイブリッドデバイス（携帯電話機能にＰＤＡデバイスの機能を組み合わせたもの）、家庭用デバイス、車両用デバイス、非車両用デバイス、モバイルまたはポータブルデバイス、非モバイルまたは非ポータブルデバイス、携帯電話、ハンドセット、ＰＣＳデバイス、無線通信デバイスを含むＰＤＡデバイス、モバイルまたはポータブルなＧＰＳデバイス、ＤＶＢデバイス、比較的小さなコンピューティングデバイス、非デスクトップコンピュータ、「キャリー・スモール・リブ・ラージ」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「折り紙」デバイスまたはコンピューティングデバイス、「ダイナミカリー・コンポーザブル・コンピューティング」（ＤＣＣ）をサポートするデバイス、コンテキスト認識デバイス、ビデオデバイス、オーディオデバイス、Ａ／Ｖデバイス、ＳＴＢ，ＢＤプレーヤ、ＢＤレコーダ、ＤＶＤプレーヤ、ＨＤ  ＤＶＤプレーヤ、ＤＶＤレコーダ、ＨＤ  ＤＶＤレコーダ、ＰＶＲ，放送ＨＤレシーバ、ビデオソース、オーディオソース、ビデオシンク、オーディオシンク、ステレオチューナ、放送ラジオレシーバ、フラットパネルディスプレイ、ＰＭＰ、ＤＶＣ，デジタルオーディオプレーヤ、スピーカ、オーディオレシーバ、ゲームデバイス、オーディオアンプ、データソース、データシンク、ＤＳＣ、メディアプレーヤ、スマートフォン、テレビ、音楽プレーヤ、ＡＰ、基地局等を含んでよい。
【００１６】
一部の例示的な実施形態では、デバイス１０２は、１以上のアンテナ１１２および無線通信リンク１１６を介して、無線送信をデバイス１０６へ送信する無線通信ユニット１０８を含んでよい。デバイス１０６は、１以上のアンテナ１１４を介して無線送信を受信する無線通信ユニット１４０を含んでよい。アンテナ１１２および／または１１４として利用可能な種類のアンテナには、これらに限定はされないが、内部アンテナ、ダイポールアンテナ、全方位アンテナ、モノポールアンテナ、エンドフェッドアンテナ、円偏光アンテナ、マイクロストリップアンテナ、ダイバーシティアンテナ等が含まれてよい。
【００１７】
一部の例示的な実施形態では、無線通信リンク１１６は、例えば後述するような少なくとも１６０メガヘルツ（ＭＨｚ）の帯域幅を有してよい。他の実施形態では、無線通信リンク１１６は、他のいずれの適切な帯域幅を有していてもよい。
【００１８】
一部の例示的な実施形態では、無線通信デバイス１０２および／または１０６は、さらに、プロセッサ１２６、入力ユニット１１８、出力ユニット１２０、メモリユニット１２２、および格納ユニット１２４のうち１以上を含んでよい。無線通信デバイス１０２および／または１０６は、オプションとして、任意の他のハードウェアコンポーネントおよび／またはソフトウェアコンポーネントを含んでよい。一部の例示的な実施形態では、無線通信デバイス１０２および／または１０６の各々が持つコンポーネントの一部または全部が、共通の筐体またはパッケージングに含まれていてもよいし、１以上の有線または無線リンクを利用して相互接続されていても、または動作可能に関連付けられていてもよい。他の実施形態では、無線通信デバイス１０２および／または１０６の各々が持つコンポーネントは、多数の別個のデバイス間で分配されてもよい。
【００１９】
プロセッサ１２６は、例えば中央処理ユニット（ＣＰＵ）、デジタル信号プロセッサ（ＤＳＰ）、１以上のプロセッサコア、シングルコアプロセッサ、デュアルコアプロセッサ、マルチコアプロセッサ、マイクロプロセッサ、ホストプロセッサ、コントローラ、複数のプロセッサまたはコントローラ、チップ、マイクロチップ、１以上の回路、回路群、論理ユニット、集積回路（ＩＣ）、特定用途向けＩＣ（ＡＳＩＣ）、または任意の他の適切な多目的の、または、専用のプロセッサ、コントローラを含む。プロセッサ１２６は、例えば無線通信デバイス１０２および／または１０６のオペレーティングシステム（ＯＳ）の命令、および／または、１以上の適切なアプリケーションの命令を実行する。
【００２０】
入力ユニット１１８は、例えば、キーボード、キーパッド、マウス、タッチパッド、トラックボール、スタイラス、マイクロフォン、その他の適切なポインティングデバイスまたは入力デバイスを含む。出力ユニット１２０は、例えば、モニタ、スクリーン、フラットパネルディスプレイ、陰極線管（ＣＲＴ）ディスプレイユニット、液晶ディスプレイ（ＬＣＤ）ユニット、プラズマディスプレイユニット、１以上のオーディオスピーカまたはイヤホン、その他の適切な出力デバイスを含む。
【００２１】
メモリユニット１２２は、例えば、ランダムアクセスメモリ（ＲＡＭ）、読み取り専用メモリ（ＲＯＭ）、動的ＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、短期メモリユニット、長期メモリユニット、その他の適切なメモリユニットを含む。格納ユニット１２４は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、その他の適切な取り外し可能、または取り外し不可能格納ユニットを含む。メモリユニット１２２および／または格納ユニット１２４は、例えば、無線通信デバイス１０２および／または１０６が処理するデータを格納することができる。
【００２２】
一部の例示的な実施形態では、無線通信リンク１１６は、複数の非近接無線通信チャネルを含んでよい。
【００２３】
「（複数の）非近接チャネル」という用語は、近接しても、隣接もしておらず、および／または、互いに境界を接してもいない２以上の無線通信チャネルのことであってよい。一例では、第１の無線通信チャネルが第２の無線通信チャネルから、例えば１以上の他の無線通信チャネル、サブチャネル、周波数帯域等で分離されている場合に、「第１および第２の無線通信チャネルが非近接である」と称してよい。
【００２４】
一部の例示的な実施形態では、複数の非近接チャネルのうちの少なくとも１つのチャネルが、少なくとも２０ＭＨｚ（例えば少なくとも８０ＭＨｚ）の帯域幅を有する。他の実施形態では、非近接無線通信チャネルは任意の他の適切な帯域幅を有してよい。
【００２５】
一実施形態では、無線通信リンク１１６は少なくとも２つの非近接チャネルを有してよく、その各々が８０ＭＨｚの帯域幅または任意の帯域幅を有することができる。他の実施形態では、無線通信リンク１１６は、任意の他の適切な帯域幅を有してよい任意の他の適切な数の無線通信チャネルを含んでよい。
【００２６】
以下に、等しい帯域幅を有する２つの非近接無線通信チャネル（例えば２つの８０ＭＨｚチャネル）を含む無線通信リンク（例えば無線通信リンク１１６）を参照しながら一部の例示的な実施形態について説明する。しかし他の実施形態では、無線通信リンクは、互いに異なる帯域幅を有する２以上の非近接無線通信チャネルを含んでもよい。一例では、無線通信リンクは、８０ＭＨｚの帯域幅を有する少なくとも１つのチャネルと、８０ＭＨｚとは異なる帯域幅（例えば、２０ＭＨｚ、４０ＭＨｚ、１２０ＭＨｚ、１６０ＭＨｚ等）を有する少なくとも１つのチャネルとを含んでよい。他の実施形態では、無線通信リンク１１６は、任意の適切な帯域幅を有する２以上の非近接チャネルの任意の他の適切な組み合わせを含んでもよい。
【００２７】
一部の実施形態では、無線通信リンク１１６は、１以上の非近接チャネルに近接していてもいなくてもよい１以上のさらなるチャネルを含んでもよい。例えば、無線通信リンク１１６は、第１および第２の８０ＭＨｚの非近接チャネルと、第１および第２のチャネルのいずれかと近接していてよい第３のチャネル（例えば８０ＭＨｚのチャネル）を含むことができる。
【００２８】
一部の例示的な実施形態では、複数の非近接チャネルのうち少なくとも１つのチャネルが、２以上の近接チャネルまたはサブチャネルを含んでもよい。例えば８０ＭＨｚのチャネルが、８０２．１１規格および／または任意の他の適切な規格および／またはプロトコルに準拠した４つの近接した２０ＭＨｚのチャネルを含んでもよい。
【００２９】
一部の例示的な実施形態では、無線通信ユニット１０８は、複数の無線通信チャネルに無線送信を送信するための複数の送信（Ｔｘ）チェーン１１１を含んでよい。無線通信ユニット１４０は、複数の無線通信チャネルから無線送信を受信するための複数の受信（Ｒｘ）チェーン１４４を含んでよい。例えば、以下で説明するように、無線通信ユニット１０８は、リンク１１６の２つのそれぞれ非近接のチャネルに無線送信を送信するための２つのＴｘチェーン１１１を含むことができ、および／または、無線通信ユニット１４０は、リンク１１６の２つのそれぞれ非近接のチャネルから無線送信を受信するための２つのＲｘチェーン１４４を含むことができる。
【００３０】
一部の例示的な実施形態では、Ｔｘチェーン１１１および／またはＲｘチェーン１４４は、任意の適切な物理層（ＰＨＹ）チェーンおよび／またはコンポーネントを含んでよく、任意の適切な無線周波数（ＲＦ）チェーンおよび／またはコンポーネントを含んでよく、および／または、任意の他の適切なエレメントを含んでよい。
【００３１】
一部の例示的な実施形態では、例えば以下で説明するように、無線通信ユニット１０８は、Ｔｘチェーン１１１を介して送信を共通に制御するメディアアクセスコントローラ（ＭＡＣ）１１０（例えば単一のＭＡＣ）を含んでよく、および／または、無線通信ユニット１４０は、Ｒｘチェーン１４４を介して受信を共通に制御するＭＡＣ１４２（例えば単一のＭＡＣ）を含んでよい。
【００３２】
一部の例示的な実施形態では、ＭＡＣ１１０は、無線通信リンク１１６の複数の非近接無線通信チャネルに、無線通信パケットのシンボルを同時送信するよう、Ｔｘチェーン１１１を制御することができる。ＭＡＣ１４２は、無線通信リンク１１６の複数の非近接無線通信チャネルから無線通信パケットのシンボルを同時受信するようＲｘチェーン１４４を制御することができる。
【００３３】
一部の例示的な実施形態では、無線通信ユニット１０８は、無線通信ユニット１４０に、以下に説明するように、無線通信パケットのプリアンブルの一部として、リンク１１６の複数の非近接チャネルの送信特徴を定義する信号情報を送信することができる。
【００３４】
図２は、一部の例示的な実施形態における非近接の第１および第２の無線通信チャネル２０２および２０４における無線通信パケット２００の送信スキームの概略図である。
【００３５】
一部の例示的な実施形態では、無線通信チャネル２０２（「高チャネル」または「Ｈチャネル」と称する）は、無線通信チャネル２０４（「低チャネル」または「Ｌチャネル」と称する）に含まれる無線通信周波数のスペクトルよりも大きい無線通信周波数のスペクトルを有してよい。
【００３６】
一部の例示的な実施形態では、無線通信チャネル２０２および２０４は、同じ帯域幅（例えば８０ＭＨｚ）を有してよい。しかし無線通信チャネル２０２および２０４は、互いに異なる帯域幅であってもよい。一例では、無線通信チャネル２０２および２０４の一方を８０ＭＨｚの帯域幅として、無線通信チャネル２０２および２０４の他方を８０ＭＨｚとは異なる帯域幅（例えば、２０ＭＨｚ、４０ＭＨｚ、１２０ＭＨｚ、１６０ＭＨｚ等）とすることもできる。
【００３７】
一部の例示的な実施形態では、無線通信チャネル２０２は、複数の近接チャネルまたはサブチャネル２０５を含んでよく、無線通信チャネル２０４は、複数の近接チャネルまたはサブチャネル２０９を含んでよい。例えばチャネル２０５および／または２０９が、８０２．１１規格および／または任意の他の適切なチャネルに準拠した４つの近接した２０ＭＨｚチャネルを含んでもよい。
【００３８】
一部の例示的な実施形態では、無線通信パケット２００は、データ部分２８４に先行してプリアンブル部分２８２を含んでよい。
【００３９】
一部の例示的な実施形態では、プリアンブル部分２８２は、チャネル２０５および２０９の各々に別個に、および／または、同期して送信されてよい。パケット２００のデータシンボル２８９は、（例えば同時に）非近接チャネル２０２および２０４に送信されてよい。
【００４０】
一部の例示的な実施形態では、プリアンブル部分２８２は、各近接チャネル２０５に送信される第１の共通プリアンブル情報、および／または、各近接チャネル２０５に送信される第２の共通プリアンブル情報を含んでよい。例えば８０２．１１規格および／または任意の他の適切な規格および／またはプロトコルに準拠して、第１の複数のトレーニングフィールド２０６が、各近接チャネル２０５に送信されてよく、および／または、トレーニングフィールド２０６と類似していても異なっていてもよい第２の複数のトレーニングフィールド２１０が、各近接チャネル２０６に送信されてもよい。
【００４１】
一部の例示的な実施形態では、プリアンブル部分２８２は、各チャネル２０５に送信されてよい第１の信号フィールド２０８（「信号−Ｈ」）、および、各チャネル２０９に送信されてよい第２の信号フィールド２１２（「信号−Ｌ」）を含んでよい。
【００４２】
一部の例示的な実施形態では、例えば以下に説明するように、信号フィールド２０８は、無線通信チャネル２０２の例えばデータ部分２８４の第１の送信特徴を定義する第１の信号情報を含んでよく、および／または、信号フィールド２１２は、無線通信チャネル２０４の例えばデータ部分２８４の第２の送信特徴を定義する第２の信号情報を含んでよい。
【００４３】
一部の例示的な実施形態では、信号フィールド２０８および２１２は、両方のチャネル２０２および２０４に共通の、および／または、これらに統合された、信号情報（「統合された信号情報」）を含んでよい。例えば信号フィールド２０８および２１２は、パケット２００の送信の一般的な特徴に関する統合信号情報（例えば、図３および／または図４を参照して後述するパケットの種類、送信パケット２００の統合メカニズムに関する情報等）を含んでよい。
【００４４】
一部の例示的な実施形態では、信号フィールド２０８および２１２は、チャネル２０２および２０４のそれぞれ異なる送信特徴を定義する、チャネルに特有の（例えば異なる）信号情報であってよい信号情報（「チャネル特定信号情報」）を含んでよい。例えば信号フィールド２０８および２１２は、チャネル２０２および２０４について利用される、異なる帯域幅、チャネル割り当て、変調符号化方式（ＭＣＳ）、および／または、バイトカウントを定義するチャネル特有信号情報を含んでよいが、この例については、図３および／または図４を参照して後述する。
【００４５】
一部の例示的な実施形態では、信号フィールド２０８は、例えばデータ部分２８４がチャネル２０４に送信されることを示す示唆、および／または、チャネル２０４に関する少なくとも部分的な情報等のチャネル２０４に関する情報、および／または、フィールド２１２が、例えばデータ部分２８４がチャネル２０２に送信されることを示す示唆、および／または、チャネル２０２に関する少なくとも部分的な情報等のチャネル２０２に関する情報を含んでよい。
【００４６】
一部の例示的な実施形態では、８０２．１１規格に従って、信号フィールド２０８は、チャネル２０４の一般的な一次チャネルとして利用されうるチャネル２０９の１つを示す示唆を含んでよく、および／または、信号フィールド２１２はさらに、チャネル２０２の一般的な一次チャネルとして利用されうるチャネル２０５の１つを示す示唆を含んでよい。
【００４７】
図３は、例示的な実施形態における信号フィールド３００の概略図である。信号フィールド３００は、第１および第２の非近接無線通信チャネルを少なくとも介してパケットのプリアンブルの一部として送信されてよい。信号フィールド３００は例えば、信号フィールド２０８および／または信号フィールド２１２（図２）を含んでよい。
【００４８】
一部の例示的な実施形態では、信号フィールド３００は、複数の非近接チャネル（例えば図２のチャネル２０２および２０４両方）に関する統合情報を含む、統合信号情報部分３０２を含んでよい。例えば、統合信号情報部分３０２は、信号フィールド３００を含むパケット（図２のパケット２００）が、一括送信の一部であるかを示す統合インデックス３８３を含んでよい。統合インデックス３８３は、例えば、パケットが非統合Ｍａｃプロトコルデータユニット（ＭＰＤＵ）を含むことを示すためには０の第１の値、および、パケットが統合ＭＰＤＵ（ＡＭＰＤＵ）を含むことを示すためには１の第２の値（適切なデリミタで分離されてよい複数のＭＰＤＵを含みうる）を有してよい。一部の実施形態では、統合情報はさらに、非近接チャネルの送信特徴（例えば統合ＭＣＳおよび／またはバイトカウント）に関する統合信号情報を含んでよい。
【００４９】
一部の例示的な実施形態では、信号フィールド３００は、例えば以下で説明するような非近接チャネルの送信特徴に関するチャネル特定信号情報を含むチャネル特定信号情報部分３０４を含んでよい。
【００５０】
一部の例示的な実施形態では、チャネル特定信号情報部分３０４は、非近接チャネル各々に関する信号情報を含んでよい。例えばチャネル特定信号情報部分３０４は、非近接無線通信チャネル各々の各送信特徴に関する情報を含んでよい。従って、非近接無線通信チャネル各々には実質的に同じ情報３００が送信されることになろう。
【００５１】
一部の例示的な実施形態では、部分３０４は、信号フィールド３００が送信されている無線通信チャネル（「現在のチャネル」）を示すインジケータ３０６を含んでよい。例えばインジケータ３０６は、信号フィールド３００がチャネル２０２またはチャネル２０４（図２）のいずれを介して送信されているかを示す値を含んでよい。例えばインジケータ３０６は、信号フィールド３００がＬチャネルを介して送信されていることを示すためには１の第１の値を含んでよく、信号フィールド３００がＨチャネルを介して送信されていることを示すためには２の第２の値を含んでよく、あるいは、信号フィールド３００が近接チャネル上のパケットの一部として送信されていることを示すためには０の第３の値を含んでよい。
【００５２】
一部の例示的な実施形態では、部分３０４はさらに、非近接チャネルの第１のチャネル（例えば現在のチャネル）に関する第１のチャネル特定信号情報３０１を含んでよい。例えば第１のチャネル特定信号情報３０１は、例えばインジケータ３０６が、信号フィールド３００がＨチャネルを介して送信されていると示している場合には、Ｈチャネルに関する信号情報を含んでよく、または、例えばインジケータ３０６が、信号フィールド３００がＬチャネルを介して送信されていることを示している場合には、Ｌチャネルに関する信号情報を含んでよい。
【００５３】
一部の例示的な実施形態では、部分３０４はさらに、非近接チャネルの少なくとも１つの第２の各チャネル（例えば現在のチャネル以外のチャネル）に関する第２のチャネル特定信号情報３０３を少なくとも含んでもよい。例えば第２のチャネル特定信号情報３０３は、例えばインジケータ３０６が、信号フィールド３００がＨチャネルを介して送信されていると示している場合には、Ｌチャネルに関する信号情報を含んでよく、または、例えばインジケータ３０６が、信号フィールド３００がＬチャネルを介して送信されていることを示している場合には、Ｈチャネルに関する信号情報を含んでよい。
【００５４】
一部の例示的な実施形態では、信号情報３０１は、第１の無線通信チャネルにおける第１の送信特徴を定義してよい。例えば、信号情報３０１は、現在のチャネルの帯域幅を定義する帯域幅情報３０８、現在のチャネルの割り当てを定義するチャネル割り当て情報３１０、現在のチャネルのＭＣＳを定義するＭＣＳ情報３１２、現在のチャネルで配信されるパケット２００（図２）のパケットペイロードの全体サイズまたは該パケットの一部のサイズ等の、パケットに関するサイズを定義するバイトカウント情報３１４、および／または、現在のチャネルにおける任意の他の適切な送信特徴を定義する任意の他の適切な情報を含んでよい。
【００５５】
一部の例示的な実施形態では、信号情報３０３は、第２の無線通信チャネルにおける第２の送信特徴を定義してよい。例えば、信号情報３０３は、第２のチャネルの帯域幅を定義する帯域幅情報３１６、第２のチャネルの割り当てを定義するチャネル割り当て情報３１８、第２のチャネルのＭＣＳを定義するＭＣＳ情報３２０、第２のチャネルで配信されるパケット２００（図２）のパケットペイロードの全体サイズまたは該パケットの一部のサイズ等の、パケットに関するサイズを定義するバイトカウント情報３２２、および／または、第２のチャネルにおける任意の他の適切な送信特徴を定義する任意の他の適切な情報を含んでよい。
【００５６】
図３の信号フィールド３００は、第１および第２の非近接無線通信チャネルをそれぞれ含む無線通信リンクに対応する第１および第２のチャネル特定信号情報エレメントのみ（例えば信号情報エレメント３０１および３０３）を含んでいる。しかし他の実施形態では、信号フィールド３００は、無線通信チャネルの各個数に応じて任意の他の適切な個数（例えば２を超える数）のチャネル特定情報エレメントを含んでよい。
【００５７】
図４は、別の例示的な実施形態における信号フィールド４００の概略図である。信号フィールド４００は、第１および第２の非近接無線通信チャネルを少なくとも介して送信されているパケットのプリアンブルの一部として送信されてよい。信号フィールド４００は例えば、信号フィールド２０８および／または信号フィールド２１２（図２）を含んでよい。
【００５８】
一部の例示的な実施形態では、信号フィールド４００は、非近接チャネル（例えば図２のチャネル２０２および２０４両方）に関する統合信号情報を含む、統合信号情報部分４０２を含んでよい。例えば、統合信号情報部分４０２は、信号フィールド４００を含むパケット（図２のパケット２００）が、一括送信の一部であるかを示す統合インデックス４８３を含んでよい。統合インデックス４８３は、例えば、パケットが非統合ＭＰＤＵの一部として送信されることを示すためには０の第１の値、または、パケットがＡＭＰＤＵの一部として送信されることを示すためには１の第２の値を有してよい。
【００５９】
一部の例示的な実施形態では、信号フィールド４００は、例えば以下で説明するような非近接チャネルの送信特徴に関するチャネル特定信号情報を含むチャネル特定信号情報部分４０４を含んでよい。
【００６０】
一部の例示的な実施形態では、チャネル特定情報部分４０４は、信号フィールド４００が送信されている無線通信チャネル（「現在のチャネル」）に関する情報、および、他の非近接チャネルの各々に関する少なくとも部分的な信号情報を含んでよい。例えば、チャネル特定情報部分４０４は、現在のチャネルの送信特徴に関する情報、および、他のチャネルの各々に関する少なくとも部分的な情報を含んでよい。他のチャネルに関する信号情報は、例えば、現在のチャネルを介して信号フィールドを受信するデバイスに、１以上の他の非近接チャネルを決定および／または特定させる情報を含んでよい。従って、非近接無線通信チャネル各々にはそれぞれ異なる情報４００が送信されることになろう。
【００６１】
一部の例示的な実施形態では、部分４０４は、現在のチャネルを示すインジケータ４０６を含んでよい。例えばインジケータ４０６は、信号フィールド４００がチャネル２０２またはチャネル２０４（図２）のいずれを介して送信されているかを示す値を含んでよい。例えばインジケータ４０６は、信号フィールド４００がＬチャネルを介して送信されていることを示すためには１の第１の値を含んでよく、信号フィールド４００がＨチャネルを介して送信されていることを示すためには２の第２の値を含んでよく、あるいは、信号フィールド４００が近接チャネルを介してパケットの一部として送信されていることを示すためには０の第３の値を含んでよい。
【００６２】
一部の例示的な実施形態では、部分４０４はさらに、非近接チャネルの第１のチャネル（例えば現在のチャネル）に関する第１のチャネル特定信号情報４０１を含んでよい。例えば第１のチャネル特定信号情報４０１は、例えばインジケータ４０６が、信号フィールド４００がＨチャネルを介して送信されていると示している場合には、Ｈチャネルに関する信号情報を含んでよく、または、例えばインジケータ４０６が、信号フィールド４００がＬチャネルを介して送信されていることを示している場合には、Ｌチャネルに関する信号情報を含んでよい。
【００６３】
一部の例示的な実施形態では、部分４０４はさらに、非近接チャネルの少なくとも１つの第２の各チャネル（例えば現在のチャネル以外のチャネル）に関する第２のチャネル特定信号情報４０３を少なくとも含んでよい。例えば第２のチャネル特定信号情報４０３は、例えばインジケータ４０６が、信号フィールド４００がＨチャネルを介して送信されていると示している場合には、Ｌチャネルに関する信号情報を含んでよく、または、例えばインジケータ４０６が、信号フィールド４００がＬチャネルを介して送信されていることを示している場合には、Ｈチャネルに関する信号情報を含んでよい。
【００６４】
一部の例示的な実施形態では、信号情報４０１は、第１の無線通信チャネルにおける第１の送信特徴を定義してよい。例えば、信号情報４０１は、現在のチャネルの帯域幅を定義する帯域幅情報４０８、現在のチャネルの割り当てを定義するチャネル割り当て情報４１０、現在のチャネルのＭＣＳを定義するＭＣＳ情報４１２、現在のチャネルで配信されるパケット２００（図２）のパケットペイロードの全体サイズまたは該パケットの一部のサイズ等の、パケットに関するサイズを定義するバイトカウント情報４１４、および／または、現在のチャネルにおける任意の他の適切な送信特徴を定義する任意の他の適切な情報を含んでよい。
【００６５】
一部の例示的な実施形態では、信号情報４０３は、例えば、現在のチャネルを介して信号フィールド４００を受信するデバイスに、第２の非近接チャネルを決定および／または特定させる情報等の、第２の無線通信チャネルにおける少なくとも幾つかの第２の送信特徴を定義してよい。例えば第２のチャネル特定情報４０３は、第２のチャネルの帯域幅を定義する帯域幅情報４１６、第２のチャネルの割り当てを定義するチャネル割り当て情報４１８、および／または、第２のチャネルにおける任意の他の適切な送信特徴を定義する任意の他の適切な情報を含んでよい。
【００６６】
図４の信号フィールド４００は、第１および第２の非近接無線通信チャネルをそれぞれ含む無線通信リンクに対応する第１および第２のチャネル特定信号情報エレメントのみ（例えば信号情報エレメント４０１および４０３）を含んでいる。しかし他の実施形態では、信号フィールド４００は、無線通信チャネルの各個数に応じて任意の他の適切な個数（例えば２を超える数）のチャネル特定情報エレメントを含んでよい。例えば、信号フィールド４００は、現在のチャネルに対応する信号情報エレメント４０１を含んでよく、複数の非近接チャネルそれぞれに対応する複数の信号情報エレメント４０３を含んでよい。
【００６７】
図１に戻ると、一部の例示的な実施形態では、無線通信ユニット１０８は、チャネル２０２（図２）を介して、チャネル２０２（図２）における第１の送信特徴を定義する少なくとも第１の信号情報を、信号フィールド２０８（図２）の一部として送信してよい。無線通信ユニット１０８は、チャネル２０４（図２）を介して、チャネル２０４（図２）における第２の送信特徴を定義する少なくとも第２の信号情報を、信号フィールド２１０（図２）の一部として送信してよい。
【００６８】
一部の例示的な実施形態では、第１および第２の送信特徴は、互いに独立していてよく、例えば第１の送信特徴の１以上を、第２の送信特徴の１以上とは独立して、選択、定義、設定、および／または、決定することができ、この逆もまた然りであってよい。例えば、ＭＡＣ１１０は、チャネル２０２（図２）における送信データ部分２８４（図２）の帯域幅、割り当て、ＭＣＳ、バイトカウント、および／または、任意の他のパラメータおよび／またはメカニズムを、チャネル２０４（図２）における送信データ部分２８４（図２）の帯域幅、割り当て、ＭＣＳ、バイトカウント、および／または、任意の他のパラメータおよび／またはメカニズムとは独立して、選択、定義、設定、および／または、決定することができる。例えば、チャネル２０２（図２）が第１のＭＣＳを有する場合、ＭＡＣ１１０は独立して、チャネル２０４（図２）のＭＣＳを、第１のＭＣＳと等しく、または異なるように、選択、定義、設定、および／または、決定することができる。
【００６９】
一部の例示的な実施形態では、無線通信ユニット１０８は、チャネル２０２（図２）を介して第２の信号情報の少なくとも一部を無線通信ユニット１４０に送信して、チャネル２０４（図２）を介して第１の信号情報の少なくとも一部を送信することができるが、この例に関しては後述する。
【００７０】
一部の例示的な実施形態では、無線通信ユニット１０８は、各チャネル２０２および２０４（図２）を介して、第１および第２のチャネル特定信号情報を両方含む実質的に同じ信号情報を、例えば図３を参照して上述したような方法で、送信することができる。
【００７１】
一部の例示的な実施形態では、無線通信ユニット１０８は、チャネル２０２および２０４（図２）を介して異なる信号情報を送信することができる。例えば、無線通信ユニット１０８は、チャネル２０２（図２）を介して第２の信号情報の一部のみを送信することができ、および／または、チャネル２０４（図２）を介して第１の信号情報の一部のみを送信することができる。例えば、無線通信ユニット１０８は、例えば図４を参照して説明したような方法で、チャネル２０４（図２）を介して、チャネル２０２（図２）の帯域幅およびチャネル２０２（図２）に対応するチャネル割り当て情報のうちの少なくとも１つを送信することができ、および／または、チャネル２０２（図２）を介して、チャネル２０４（図２）の帯域幅およびチャネル２０４（図２）に対応するチャネル割り当て情報のうちの少なくとも１つを送信することができる。
【００７２】
一部の例示的な実施形態では、ＭＡＣ１１０は、無線通信リンク１１６を介して通信するための適切な搬送波感知多重アクセス/衝突検出方式（ＣＳＭＡ）のメカニズム（適切な衝突回避ＣＳＭＡ（ＣＳＭＡ／ＣＡ）のメカニズム等）を実装することができる。ＣＳＭＡメカニズムは、８０２．１１規格および／または任意の他の適切な規格および／またはプロトコルに従って適切なバックオフ・メカニズムを含みうる。
【００７３】
一部の例示的な実施形態では、ＭＡＣ１１０は、無線通信リンク１１６の複数の非近接チャネルを介して通信する際に複数のバックオフ・メカニズムを利用することができる。例えばＭＡＣ１１０は、第１のバックオフ・メカニズムに従って複数のチャネルのうちの第１のチャネル（図２のチャネル２０２）で、および、第２のバックオフ・メカニズムに従って複数のチャネルのうちの第２のチャネル（図２のチャネル２０４）で通信することができる。例えばＭＡＣ１１０は、第１および第２のチャネルで第１および第２の（例えば異なる）バックオフ期間を管理および／またはカウントダウンしてよい。
【００７４】
一部の例示的な実施形態では、ＭＡＣ１１０は、チャネル２０２（図２）に属する一次チャネル（図２のチャネル２０５のうちの１つのチャネル）において第１のバックオフ・メカニズムを管理することができ、および／または、ＭＡＣ１１０は、チャネル２０４（図２）に属する一次チャネル（図２のチャネル２０９のうちの１つのチャネル）において第２のバックオフ・メカニズムを管理することができる。
【００７５】
一実施形態では、第１および第２のバックオフ・メカニズムが同一であってよい（例えば、１以上の同一のバックオフ・パラメータ（例えばコンテンションウィンドウパラメータ等）を利用してよい）。別の実施形態では、第１および第２のバックオフ・メカニズムが互いに異なっていてもよい（例えば、１以上の互いに異なるバックオフ・パラメータ（例えばコンテンションウィンドウパラメータ等）を利用してよい）。
【００７６】
一部の例示的な実施形態では、第１のバックオフ・メカニズムのバックオフ期間が完了するとＭＡＣ１１０は、第１のチャネルに送信する前に、第２のバックオフ・メカニズムのバックオフ期間が完了するのを所定の期間（Δ１で表す）待つ。第２のバックオフ・メカニズムのバックオフ期間が終了するとＭＡＣ１１０は、第２のチャネルに送信する前に、第1のバックオフ・メカニズムのバックオフ期間が完了するのを所定の期間（Δ２で表す）待つ。一実施形態では、期間Δ１は、期間Δ２と等しくてよい。別の実施形態では、期間Δ１は、期間Δ２と異なっていてもよい。
【００７７】
一部の例示的な実施形態では、第２のバックオフ・メカニズムのバックオフ期間が所定の期間Δ１内に完了した場合には、ＭＡＣ１１０は第１および第２のチャネル両方で送信することができる。
【００７８】
一部の例示的な実施形態では、ＭＡＣ１１０は、第１および第２のチャネル両方における送信が完了した後で、第１のバックオフ・メカニズムのバックオフカウンタおよび第２のバックオフ・メカニズムのバックオフカウンタを再開してよい。
【００７９】
一部の例示的な実施形態では、第２のバックオフ・メカニズムのバックオフ期間が所定の期間Δ１内に完了しない場合には、ＭＡＣ１１０は、例えば第１のチャネルだけに送信してよい。
【００８０】
一部の例示的な実施形態では、ＭＡＣ１１０は、第１のチャネルにおける送信が完了した後で、第１のバックオフ・メカニズムのバックオフカウンタおよび第２のバックオフ・メカニズムのバックオフカウンタを再開してもよい。
【００８１】
図５は、非近接チャネルにおける無線通信方法の概略図である。一部の実施形態では、図５の方法の１以上の処理を、システム１００（図１）等のシステムの１以上のエレメント（例えばデバイス１０２（図２）、無線通信ユニット１０８（図１）および／またはＭＡＣ１１０（図１））により実行してよい。
【００８２】
ブロック５００に示すように、方法は、少なくとも第１および第２の非近接チャネルをそれぞれ介して少なくとも第１および第２の信号情報を送信することを含んでよい。例えば、無線通信ユニット１０８（図１）は、信号フィールド２０８および２１２（図２）を、非近接無線通信チャネル２０２および２０４（図２）を介して、例えば上述したように送信することができる。
【００８３】
ブロック５０２に示すように、第１および第２の信号情報の送信には、第１のチャネルにおける第１の送信特徴を定義する第１の信号情報、および、第２のチャネルにおける、第１の送信特徴とは独立した第２の送信特徴を定義する第２の信号情報の送信が含まれていてよい。例えば無線通信ユニット１０８（図１）は、例えば上述したように、信号情報フィールド３００（図３）および／または４００（図４）を、チャネル２０２および／または２０４（図２）を介して送信することができる。
【００８４】
ブロック５０４に示すように、第１および第２の信号情報の送信には、第１および第２の非近接チャネル両方で実質的に同じ信号情報を送信することが含まれていてよい。例えば無線通信ユニット１０８（図１）は、例えば上述したように各チャネル２０２および２０４（図１）に信号情報エレメント３０１および３０３（図３）を含む信号フィールド３００（図３）を送信してよい。
【００８５】
ブロック５０６に示すように、第１および第２の信号情報の送信には、第１および第２の非近接チャネル両方にそれぞれ異なる信号情報を送信することが含まれていてよい。例えば無線通信ユニット１０８（図１）は、例えば上述したように、チャネル２０２（図２）を介して、チャネル２０２（図２）に関する信号情報エレメント４０１（図１）およびチャネル２０４（図２）に関する信号情報エレメント４０３（図１）を含む信号フィールド４００（図４）を送信してよく、無線通信ユニット１０８（図１）は、チャネル２０４（図２）を介して、チャネル２０４（図２）に関する信号情報エレメント４０１（図１）およびチャネル２０２（図２）に関する信号情報エレメント４０３（図１）を含む信号フィールド４００（図４）を送信してよい。
【００８６】
ブロック５０８に示すように、方法は、それぞれ第１および第２の送信特徴に従って、第１および第２のチャネルを介して無線通信パケットのシンボルを送信することを含んでよい。例えば、無線通信ユニット１０８（図１）は、例えば上述したようにデータ部分２８４（図２）をチャネル２０２および２０４（図２）を介して送信することができる。
【００８７】
図６は、一部の例示的な実施形態における製品６００の概略図である。製品６００は、例えばＭＡＣ１１０（図１）の機能の少なくとも一部を実行するために、および／または、図５の方法のうちの１以上の処理を実行するために利用されうる論理６０４を格納する機械可読格納媒体６０２を含んでよい。
【００８８】
一部の例示的な実施形態では、製品６００および／または機械可読格納媒体６０２は、データを格納する機能を有する１以上の種類のコンピュータ可読格納媒体を含んでよく、これには、揮発性メモリ、不揮発性メモリ、取り外し可能または取り外し不可能メモリ、消去可能または消去不可能メモリ、書き込み可能または書き換え可能メモ等を含んでよい。例えば機械可読格納媒体６０２は、１以上のランダムアクセスメモリ（ＲＡＭ）、動的ＲＡＭ（ＤＲＡＭ）、ダブルデータレートＤＲＡＭ（ＤＤＲ−ＤＲＡＭ）、同期ＤＲＡＭ（ＳＤＲＡＭ）、静的ＲＡＭ（ＳＲＡＭ）、読み出し専用メモリ（ＲＯＭ）、プログラマブルＲＯＭ（ＰＲＯＭ）、消去可能ＲＯＭ（ＥＰＲＯＭ）、電気消去可能ＲＯＭ（ＥＥＰＲＯＭ）、ＣＤ−ＲＯＭ、書き込み可能ＣＤ（ＣＤ−Ｒ）、書き換え可能ＣＤ（ＣＤ−ＲＷ）、フラッシュメモリ（ＮＯＲまたはＮＡＮＤフラッシュメモリ）、コンテント・アドレッサブル・メモリ（ＣＡＭ）、ポリマーメモリ、相変化メモリ、強誘電メモリ、シリコン−酸化物−窒化物−酸化物−シリコン（ＳＯＮＯＳ）メモリ、ディスク、フロッピー（登録商標）ディスク、ハードドライブ、光学ディスク、磁気ディスク、カード、磁気カード、光学カード、テープ、カセット等が含まれてよい。コンピュータ可読格納媒体は、遠隔コンピュータから、要求を発したコンピュータに、通信リンク（モデム、または無線またはネットワーク接続等）を介して搬送波または他の伝播媒体に具現化されるデータ信号が搬送するコンピュータプログラムをダウンロードまたは転送する任意の適切な媒体を含んでよい。
【００８９】
一部の例示的な実施形態では、論理６０４は、機械により実行されると機械にここに記載する方法、プロセス、および／または処理を実行させる命令、データおよび／またはコードを含んでよい。機械は、例えば、任意の適切な処理プラットフォーム、コンピューティングプラットフォーム、コンピューティングデバイス、処理デバイス、コンピューティングシステム、処理システム、コンピュータ、プロセッサ等を含んでよく、ハードウェア、ソフトウェア、ファームウェア等の任意の組み合わせにより実装可能であってよい。
【００９０】
一部の例示的な実施形態では、論理６０４は、ソフトウェア、ソフトウェアモジュール、アプリケーション、プログラム、サブルーチン、命令、命令セット、コンピューティングコード、ワード、値、シンボル等を含んでも、これらとして実装されてもよい。命令は、ソースコード、コンパイルされたコード、解釈されたコード、実行可能コード、静的コード、動的コード等の任意の適切な種類のコードを含んでよい。命令は、プロセッサに一定の機能を行わせる所定のコンピュータ言語、方法、またはシンタックスに従って実装されてよい。命令は、任意の適切な高レベルの、低レベルの、オブジェクト指向の、ビジュアルの、コンパイルされた、および／または、解釈されたプログラミング言語（例えばＣ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、機械コード等）を利用して実装可能である。
【００９１】
１以上の実施形態を参照して記載してきた機能、処理、コンポーネントおよび／または特徴は、ここに１以上の他の実施形態を参照して説明した１以上の他の機能、処理、コンポーネントおよび／または特徴と組み合わせることができ、または組み合わせて利用することができる。
【００９２】
本発明の一定の特徴について例示および記載してきたが、当業者であれば数多くの変形例、修正例、変更例、および均等物を想到するであろう。従って添付請求項は、これら全ての変形例および修正例を本発明の真の精神内に含むことを意図していることを理解されたい。
【図１】
0005409698.tif 000002
【図２】
0005409698.tif 000003
【図３】
0005409698.tif 000004
【図４】
0005409698.tif 000005
【図５】
0005409698.tif 000006
【図６】
0005409698.tif 000007